(57)【要約】  本発明は、ネットワーク要素間の測定レポートの報告方法及びシステムを公開し、周期性測定レポート報告方式を採用する際恐らくメッセージ量が大きすぎることを引き起こすことと、イベント報告方式を採用する際適時性が悪い技術欠点を解決するためのものである。本発明は、周期性測定レポートが報告される際の変動しきい値制御を導入し、現在の測定レポートと前回の報告した測定レポートの違いが小さい時、測定の報告方は、測定の発起方へ測定レポートを報告する必要がなく、現在の測定レポートと前回の報告した測定レポートの変動が大きい時、発起方へ現在の測定レポートを報告する。本発明における測定報告方式は、測定レポートの適時性を満たすだけでなく、測定レポートが報告したメッセージ量も減少する。同時に、さらに、1つの長時間周期のタイマーによって、周期的に現在の測定レポートを強制的に報告し、これにより、測定の発起方がローカルメンテナンスした測定レポートの正確性を保証する。【選択図】図２Ａ
2012527202.tif 000002
【特許請求の範囲】
【請求項１】
ネットワーク要素間の測定レポートの報告方法であって、
測定の報告方は、現在の測定レポートとローカルメンテナンスした歴史測定レポートとの差の値が変動しきい値内にあるかどうかを判断し、あると、測定の発起方へ測定レポートを報告しなく、いないと、測定の報告方は、測定の発起方へ前記の現在の測定レポートを報告するとともに、前記の現在の測定レポートの値をローカルメンテナンスした歴史測定レポートに更新することを含むことを特徴とするネットワーク要素間の測定レポートの報告方法。
【請求項２】
前記の測定の報告方が前記判断を実施する前に、測定の発起方は、測定の報告方へ初期化請求メッセージを送信し、該メッセージに測定レポート変動しきい値フィールド及び測定報告周期フィールドを携帯し、
測定の報告方は、毎回の測定報告周期が到達する際又は到達前に測定レポート情報を収集し、測定報告周期が到達する際、現在の測定レポートとローカルメンテナンスした歴史測定レポートとの差の値が測定レポート変動しきい値の範囲内にあるかどうかを判断し、あると、測定の報告方は、現在の測定報告周期が到達する際、測定の発起方へ本測定レポートを報告しなく、いないと、現在の測定報告周期が到達する際、測定の報告方は、測定の発起方へ測定レポートを報告することを特徴とする請求項1に記載の方法。
【請求項３】
測定の発起方が測定の報告方へ送信した初期化請求メッセージは、測定報告長周期フィールドを携帯し、前記測定報告長周期が、前記測定報告周期より大きいか等しいであり、
測定の報告方は、毎回の測定報告長周期が到達する際、現在の測定レポートと歴史測定レポートの差の値が測定レポート変動しきい値範囲内にあるかどうかに関わらず、測定レポートの発起方へ測定レポートを報告することを特徴とする請求項2に記載の方法。
【請求項４】
前記の現在の測定レポートは測定の報告方が1回目で得られた測定レポートであると、直接に現在の測定レポートを報告し、且つ現在の測定レポートを歴史測定レポートに設置することを特徴とする請求項1に記載の方法。
【請求項５】
測定の報告方及び測定の発起方を含み、
前記測定の発起方は、測定の報告方へ初期化請求メッセージを送信することに用いられ、該メッセージに測定レポート変動しきい値フィールドを携帯し、
測定の報告方は、
前記初期化請求メッセージにおける測定レポート変動しきい値フィールド値によって現在の測定レポートと歴史測定レポートの差が設定した測定レポート変動しきい値の範囲内にあるかどうかを判断するための変動しきい値判断モジュールと、
現在の測定レポートと歴史測定レポートの差が設定した測定レポート変動しきい値範囲内にいない場合、測定レポートを報告し、且つ現在に測定された測定レポートを歴史測定レポートに設置するための測定報告モジュールとを含むことを特徴とするネットワーク要素間の測定レポートの報告システム。
【請求項６】
前記測定の発起方が測定の報告方へ送信した初期化請求メッセージに、さらに、測定報告周期フィールドを携帯し、
前記測定の報告方は、さらに、前記測定報告周期フィールドが設定した測定レポート報告周期によって、周期的に前記変動しきい値判断モジュールの実施をトリガーするための第1タイマーモジュールを含むことを特徴とする請求項5に記載のシステム。
【請求項７】
前記測定の発起方が測定の報告方へ送信した初期化請求メッセージに、さらに、測定報告長周期フィールドを携帯し、
前記測定の報告方は、さらに、前記測定報告長周期フィールドが設定した測定レポート報告長周期によって、周期的に測定報告モジュールをトリガーして強制的に現在の測定レポートを報告させるための第2タイマーモジュールを含むことを特徴する請求項5又は6に記載のシステム。
【発明の詳細な説明】
【技術分野】
【０００１】
本発明は、移動通信分野に関し、特にネットワーク要素間の測定レポートの報告方法及びシステムに関する。
【背景技術】
【０００２】
通信分野に、特に移動通信システムにおいて、ネットワーク要素の間でタイムリーにリソースの状態を取得するために、測定過程によって関係情報を取得する。測定した情報を使用するネットワーク要素（測定の発起方）が、測定初期化請求を送信することによって他のネットワーク要素へ測定過程を発起し、測定初期化請求を受信したネットワーク要素（測定の実施方）が、請求された測定種類を支持すると、測定初期化請求に指示された測定レポートの報告方式によって条件を満たす際、報告する。
【０００３】
移動通信システムにおいて、例えばUMTSに、即報告、周期性報告、修正報告、各種のイベント報告方式などを含む大量の測定レポート報告方式を定義した。
【０００４】
異なる測定レポートは、異なる場合の需要を満たすことができ、例えば、修正報告方式を使用している際、測定の実施方における測定対象の測定値はただ変化が発生する際だけ報告する。
【０００５】
測定の実施方は、測定対象の測定絶対値が一定の条件を満たす際だけ報告する。イベント報告方式の適時性が悪くて、測定の発起方が正確的に測定対象の現在の測定値を知ることができなく、修正報告方式の欠点は、測定対象のいずれの変化があれば、必ず測定レポートをトリガーし、測定対象に対する測定が比較的に敏感である時、測定レポートのメッセージ量が大きいことになっている。
【０００６】
周期性測定レポートは、もう1種の常用の測定レポート報告方式であり、測定レポートの発起方は、要求によって必要の粒度内に必要の測定情報を取得する。しかし、このような報告方式は、1つの欠点があり、測定レポートの周期が小さすぎて設置されると、システム間のメッセージ量の大きすぎを招き、特に測定レポートが変化なし、又は、変化が測定の発起方の注意を必要としないほど小さいである時、システム間のメッセージロードが無駄になって、測定レポート周期が大きすぎである際、また、測定レポートが適時性なくなることを引き起こす。
【発明の概要】
【発明が解決しようとする課題】
【０００７】
上記のことを鑑とする、本発明の主な目的の1つは、周期性測定レポート報告方式を採用する際恐らくメッセージ量が大きすぎることを引き起こすことと、イベント報告方式を採用する際適時性が悪い技術欠点を解決するためのネットワーク要素間の測定レポート的報告方法を提供することである。上記目的を達するために、本発明の技術方案は、以下のように実現する。
【課題を解決するための手段】
【０００８】
ネットワーク要素間の測定レポートの報告方法であって、
測定の報告方は、現在の測定レポート及びローカルメンテナンスした歴史測定レポートの差値が変動しきい値内にあるかどうかを判断し、あると、測定の発起方へ測定レポートを報告しなく、いないと、測定の報告方は、測定の発起方へ前記の現在の測定レポートを報告するとともに、前記の現在の測定レポートの値をローカルメンテナンスした歴史測定レポートにとして更新することを含む。
【０００９】
さらに、前記の測定の報告方が前記判断を実施する前に、測定の発起方は、測定の報告方へ初期化請求メッセージを送信し、該メッセージに測定レポート変動しきい値フィールド及び測定報告周期フィールドを携帯し、
測定の報告方は、毎次の測定報告周期が到達する際又は到達前に測定レポート情報を収集し、今回の測定報告周期が到達する際に、現在の測定レポートとローカルメンテナンスした歴史測定レポートの差が測定レポート変動しきい値の範囲内にあるかどうかを判断し、あると、測定の報告方は、現在の測定報告周期が到達する際、測定の発起方へ本測定レポートを報告しなく、いそうしないと、現在の測定報告周期が到達する際、測定の報告方は、測定の発起方へ測定レポートを報告する。
【００１０】
さらに、測定の発起方が測定の報告方へ送信した初期化請求メッセージは、測定報告長周期フィールドを携帯し、前記測定報告長周期が、前記測定報告周期以上であり、
測定の報告方は、毎次の測定報告長周期が到達する際、現在の測定レポートと歴史測定レポートの差は、測定レポート変動しきい値範囲の内にあるかどうかに関わらず、測定レポートの発起方へ測定レポートを報告する。
【００１１】
さらに、前記の現在の測定レポートは測定の報告方が第1次で得られた測定レポートであると、直接に現在の測定レポートを報告し、且つ現在の測定レポートを歴史測定レポートにとして設置する。
【００１２】
本発明のもう1つの目的は、ネットワーク要素間の測定レポートの報告システムを提供することである。上記の目的を達するために、本発明の技術方案は、以下のように実現する。
【００１３】
ネットワーク要素間の測定レポートの報告システムであって、測定の報告方及び測定の発起方を含み、
前記測定の発起方は、測定の報告方へ初期化請求メッセージを送信することに用いられ、該メッセージに測定レポート変動しきい値フィールドを携帯し、
測定の報告方は、
前記初期化請求メッセージにおける測定レポート変動しきい値フィールド値によって現在の測定レポートと歴史測定レポートの差が設定した測定レポート変動しきい値範囲内にあるかどうかを判断するための変動しきい値判断モジュールと、
現在の測定レポートと歴史測定レポートの差が設定した測定レポート変動しきい値範囲内にいない場合、測定レポートを報告し、且つ現在に測定された測定レポートを歴史測定レポートにとして設置するための測定報告モジュールとを含む。
【００１４】
さらに、前記測定の発起方が測定の報告方へ送信した初期化請求メッセージに、さらに、測定報告周期フィールドを携帯し、
前記測定の報告方は、さらに、前記測定報告周期フィールドが設定した測定レポート報告周期によって、周期的に前記変動しきい値判断モジュールの実施をトリガーするための第1タイマーモジュールを含む。
【００１５】
さらに、前記測定の発起方が測定の報告方へ送信した初期化請求メッセージに、さらに、測定報告長周期フィールドを携帯し、
前記測定の報告方は、さらに、前記測定報告長周期フィールドが設定した測定レポート報告長周期によって、周期的に測定報告モジュールをトリガーして強制的に現在の測定レポートを報告させるための第2タイマーモジュールを含む。
【００１６】
本発明は、周期性測定レポートが報告される際の変動しきい値制御を導入し、現在の測定レポートと前回の報告した測定レポートの違いが小さい時、測定の報告方は、測定の発起方へ測定レポートを報告する必要がなく、現在の測定レポートと前回の報告した測定レポートの変動が大きい時、発起方へ現在の測定レポートを報告する。このような測定報告方式によって、測定レポートの適時性を満たすことだけでなく、測定レポートが報告したメッセージ量も減少する。同時に、さらに、1つの長時間周期のタイマーによって、周期的に現在の測定レポートを強制的に報告し、これにより、測定の発起方がローカルメンテナンスした測定レポートの正確性を保証する。
【図面の簡単な説明】
【００１７】
【図１】本発明がIur-gインタフェースによって、ロード情報公共測定初期化及び測定レポートの報告のプロセスである。
【図２Ａ】本発明がタイマーT1が制御する元に測定レポートを報告する処理プロセス図である。
【図２Ｂ】本発明の測定レポート長周期に対応してタイマーT2がトリガーした処理プロセス図である。
【図３】本発明に記載のネットワーク要素間の測定レポートの報告システムの論理的な構造図である。
【発明を実施するための形態】
【００１８】
本発明の目的、技術方案及び利点をより明確するために、以下、実施例を挙げ、且つ図面を参照して、本発明に対してさらに詳しくて説明する。
【００１９】
移動通信システムに大量の測定情報の報告場面が存在し、以下、3G及び2Gシステムの基地局コントローラ（Base Station Controller，BSC）及び無線ネットワークコントローラ（Radio network Controller，RNC）のネットワーク要素の間のインタフェースのセルロード公共測定タイプを例として、本発明の実際応用を説明する。
【００２０】
説明する必要があることは、衝突しない場合に、本出願における実施例及び実施例における特徴が互いに組み当てることができる。以下、附図を参照して且つ実施例を結合して詳しく本発明を説明する。
【００２１】
本発明の実施例において、汎用移動通信システム（Universal Mobile Telecommunications System，UMTS）のRNCが自発的にIUR-Gインタフェースの公共測定を発起し、BSCに、指定されたBSCセルのロード情報を報告するようを請求する。図1に示すように、具体的なステップは以下のようである。
【００２２】
ステップS101、RNCは、IUR-Gインタフェースによって公共測定初期化請求メッセージをBSCに送信し、BSCの指定されたセルのロード測定過程を発起する。
【００２３】
前記測定初期化請求メッセージは、指定されたBSCセル標識及び測定対象タイプがロード情報であることを含む。
【００２４】
測定レポート報告のメッセージ量を減少するために、本発明は、測定初期化請求メッセージに測定レポート変動しきい値フィールドを新しく増加し、該フィールドが測定レポート報告の判断条件を設定する事に用いられ、現在の測定レポートと前回の報告の測定レポートの差の絶対値が該フィールド値以上である際、BSCが現在の測定レポートを報告する。
【００２５】
測定レポートの報告の頻度を減少するために、本発明は、測定初期化請求メッセージに測定報告周期フィールドを新しく増加し、該フィールドが測定レポートの報告検出の最小周期を設定することに用いられる。
【００２６】
測定の報告方及び受信方の測定レポートが異常の場合に現した不一致を避けるために、本発明は、測定初期化請求メッセージに新しく測定報告長周期フィールドを増加し、該フィールドは、長周期が到達する際強制的に測定レポートを報告し、且つ強制的に測定報告周期の対応のタイマー及び測定報告長周期の対応のタイマーを再起動することに用いられる。測定報告長周期が測定報告周期以上である。
【００２７】
以下の表に、本発明が公共測定初期化請求メッセージに新しく増加したフィールドをリストする。
【表１】
2012527202.tif 000003
【００２８】
ステップS102、BSCが公共測定初期化請求メッセージを受信した後、RNCへ公共測定初期化応答メッセージを返事し、
該ステップに、測定報告周期フィールドによってタイマーT1を起動し、測定報告長周期フィールドによってタイマーT2を起動し、ローカル測定情報を初期化し、例えば歴史測定情報の基準値を零に設定する。
【００２９】
ステップS103、現在の測定レポート値と歴史測定レポート値の差の絶対値が測定レポート変動しきい値以上である際、現在の測定レポートを報告する。
【００３０】
図2Aは、本発明がタイマーT1が制御する元に測定レポートを報告過程であり、具体的なステップは以下のようである。
【００３１】
ステップ201、現在の測定レポート情報を収集し、
タイマーT1周期が到達する際、BSCが現在の指定されたBSCセルの測定レポート情報を収集する。本発明に、現在の測定レポートを収集するステップは、タイマーT1が制御している測定レポート報告過程から独立することができ、例えば、システムによって1つの測定報告周期以下のタイマーを設定し、又は、イベントトリガー方式でリアルタイムに現在の最新の測定レポートを取得し、且つ現在の最新の測定レポートを後続ステップにおける報告判断するための現在の測定レポートとする。
【００３２】
ステップ202、測定の報告方が第1次で測定レポートを取得することであるかどうかを判断し、であると、ステップ203を実施し、でないと、ステップ204を実施し、
初期化が終了した後、タイムリーに測定レポートを報告するために、本発明は、好ましくて第1次で測定レポートを取得する際の判断処理ステップを添加し、これにより、第1次で測定レポートを取得する際、タイムリーに報告し且つローカルの歴史記録を更新する。
【００３３】
ステップ203、今回の測定レポートを報告し、且つ今回の測定レポートを歴史測定レポートにとして更新し、そして、ステップ206を実施し、
ステップ204、現在の測定レポートと歴史測定レポート値の差の絶対値が測定レポート変動しきい値範囲内にあるかどうかを判断し、あると、ステップ206を実施し、いないと、ステップ205を実施し、
現在の測定レポートによって歴史測定レポート基準値との差の絶対値を計算し、差の絶対値が測定レポート変動しきい値以上であると、測定レポートを報告することを決定し、同時に新しい測定レポートを歴史測定情報基準値にとして設置する。
【００３４】
ステップ205、今回の測定レポートを報告し、且つ今回の測定レポートを歴史測定レポートにとして更新し、
ステップ206、タイマーT1を再設定し、
循環検出、且つ新しい測定レポートの基礎上に検出を始めるを実現するため、該ステップは、測定報告周期フィールドによってタイマーT1を再設定する必要がある。
【００３５】
図2Bは、本発明の測定レポート長周期に対応してタイマーT2がトリガーした処理プロセス図であり、具体的に以下のようであり、
ステップ2B01、タイマーT2の周期が到達する際、現在の測定レポートと歴史測定レポート値の差の絶対値が測定レポート変動しきい値範囲内にあるかどうかにかかわらず、ローカルの現在の測定レポートをRNCに報告し、同時にローカルの歴史測定レポート値に更新し、
ステップ2B02、測定レポート周期の対応のタイマーT1と測定レポート長周期の対応のタイマーT2を再起動する。
【００３６】
図3は、本発明に記載のネットワーク要素間の測定レポート報告システムの論理的な構造図であり、測定の発起方及び測定の報告方を含み、測定の発起方が初期化メッセージによって測定レポート変動しきい値フィールド、測定報告周期フィールド及び測定報告長周期フィールドを測定の報告方に通知する。本発明の1つの好ましい実施例に、ただ変動しきい値フィールドだけを採用して報告のトリガー条件として、変動しきい値判断モジュールによって現在の測定レポートと歴史測定レポートの差が前記変動しきい値範囲内にあるかどうかを判断し、変動しきい値範囲内にいないと、測定報告モジュールに、現在の測定レポートを測定の発起方に報告することを通知する。本発明のもう1つの好ましい実施例に、測定の報告方に、さらに、第1タイマーモジュールを含み、該タイマーの定時周期を前記測定報告周期フィールドの値にとして設定し、定時周期が到達する際に、変動しきい値判断モジュールの実施をトリガーし、本発明のもう1つの好ましい実施例に、第1タイマーモジュールを含む以外、さらに、第2タイマーモジュールを含み、該タイマーの定時周期が前記測定報告長周期フィールドの値にとして設定され、定期周期が到達する際、強制的に現在に測定して得られた測定レポートを報告することを通知する。
【００３７】
前記のように、本発明の上記実施例によって、この測定報告方法における長短周期及び測定レポートの許可変動レンジを採用して、測定レポートメッセージのメッセージ量を減少するだけでなく、測定の発起方も正確的に測定対象の測定値を把握することができる。
【００３８】
前記のように、ただ本発明の良好的な実施例だけで、本発明の保護範囲を限定するためのものではない。
【図１】
2012527202.tif 000004
【図２Ａ】
2012527202.tif 000005
【図２Ｂ】
2012527202.tif 000006
【図３】
2012527202.tif 000007
【国際調査報告】
2012527202.tif 000008
2012527202.tif 000009
2012527202.tif 000010
2012527202.tif 000011